(57)【要約】【課題】不使用時に洋室や和室に置いてもあまり邪魔になることがないような腹筋台を提供することを課題とする。【解決手段】腹筋補助クッションとして、屈曲させた脚を乗せる、凸条体からなるクッション本体と、前記クッション本体の長手方向に平行な棒体からなる脚固定部と、前記脚固定部を前記クッション本体側面に連結固定する、前記脚固定部に略垂直に固定される棒体又は板体からなる連結干を有する連結固定部とから構成し、前記連結干を前記クッション本体に対して伸縮するよう形成する。【選択図】  図２
0003168533.tif 000002
【実用新案登録請求の範囲】
【請求項１】
屈曲させた脚を乗せる、凸条体からなるクッション本体と、
前記クッション本体の長手方向に平行な棒体からなる脚固定部と、
前記脚固定部を前記クッション本体側面に連結固定する、前記脚固定部に略垂直に固定される棒体又は板体からなる連結干を有する連結固定部とを有し、
前記連結干は、前記クッション本体に対して伸縮するものである
腹筋補助クッション。
【請求項２】
前記クッション本体には、前記連結干が縮んだ状態において、前記脚固定部が収容される大きさ及び形状を有する凹部が設けられる請求項１に記載の腹筋補助クッション。
【考案の詳細な説明】
【技術分野】
【０００１】
本考案は、クッションの構造に関し、特に、腹筋台として使用できるクッションの構造に関する。
【背景技術】
【０００２】
従来の腹筋台として、例えば、下記特許文献５、６に示すようなものがある。これは、脚や尻を乗せる台に、脚を固定するベルト等を設けた構造を有している。このような専用の腹筋台は、使用していないときは邪魔になり、収納する場合も大きなスペースを取るという問題がある。
このような問題に対して下記特許文献１〜３には、座椅子の座部に脚を固定するための棒状の足掛け手段を収納可能に設けたものが示されている。また、下記特許文献４には、折りたたむことでソファーになるクッションマットに、収納できる足掛け手段を設けたものが示されている。これらのものは、腹筋台として使用しない場合は、座椅子またはソファーとして使用することができるので、収納場所に困らないという利点を有する。
【先行技術文献】
【特許文献】
【０００３】
【特許文献１】特開２００７−２０２７６０号公報
【特許文献２】実用新案登録第３１５３２７７号公報
【特許文献３】実用新案登録第３１５０３６４号公報
【特許文献４】実用新案登録第３１１１３８５号公報
【特許文献５】特開２００４−２０８８３５号公報
【特許文献６】特開２０１０−６９０１０号公報
【考案の概要】
【考案が解決しようとする課題】
【０００４】
しかし、座椅子は和室などに置く場合は良いが、ソファーが置いてあるような洋室に置くのはそぐわない。また、ソファーになるクッションマットはソファーとして使用するので大きなものとなり、これを置くことで、普通のソファーを置くことができず、ソファーとしてのデザインも制約されたものとなる。
本考案はこのような問題に鑑み、不使用時には、洋室や和室に置いてもあまり邪魔になることがないような腹筋台を提供することを課題とする。
【課題を解決するための手段】
【０００５】
上記課題を解決するために本考案は次のような構成を有する。
請求項１に記載の考案は、屈曲させた脚を乗せる、凸条体からなるクッション本体と、前記クッション本体の長手方向に平行な棒体からなる脚固定部と、前記脚固定部を前記クッション本体側面に連結固定する、前記脚固定部に略垂直に固定される棒体又は板体からなる連結干を有する連結固定部とを有する腹筋補助クッションであり、前記連結干は、前記クッション本体に対して伸縮するよう形成される。
請求項２に記載の考案は、前記腹筋補助クッションにおいて、前記クッション本体には、前記連結干が縮んだ状態において、前記脚固定部が収容される大きさ及び形状を有する凹部が設けられるものである。
【考案の効果】
【０００６】
以上の構成から、本考案は次のような効果を奏する。
請求項１に記載の考案は、腹筋運動をする際には、脚固定部が脛側になるようにクッション本体に屈曲させた脚を乗せて、連結干を延ばした状態の脚固定部で脛の前面を押さえて脚を固定し、腹筋運動を行うことができる。そして、腹筋運動をしないときには、連結干を縮めることで脚固定部がクッション本体側にまとまり、クッション本体は屈曲した脚を乗せることができる程度の大きさのクッションで形成できるので、普通のクッションとしてソファーや床に置いても、洋室、和室問わず、あまり違和感を生じさせることなく、邪魔にならない。
請求項２に記載の考案は、連結干を縮めた状態で脚固定部がクッション本体に設けた凹部に収まるので、よりクッションとしてまとまり、腹筋運動をしないときに、さらに邪魔になることなく部屋に置いておくことができる。
【図面の簡単な説明】
【０００７】
【図１】（ａ）は脚固定部を出した状態の腹筋補助クッションの斜視図であり、（ｂ）は脚固定部を収納した状態の腹筋補助クッションの斜視図である。
【図２】（ａ）は脚固定部を収納した状態の腹筋補助クッションの縦断面図であり、（ｂ）は脚固定部を出した状態の腹筋補助クッションの縦断面図である。
【考案を実施するための形態】
【０００８】
以下、本考案の実施の形態について、図面を参照しながら説明する。
図１（ａ）に本実施形態に係る腹筋補助クッションＸの斜視図を示す。腹筋補助クッションＸは、クッション本体１０、脚固定部２０、連結固定部３０を有する。
クッション本体１０は、長手方向に切った断面が角丸の略正三角形となるような凸条体からなり、当該形状のウレタン等の発泡合成樹脂を布や皮革などのシートで包むことで形成されている。クッション本体１０の一方の斜面には、長手方向に沿って後述する脚固定部２０が収納できる大きさ及び形状を有する凹部１１が設けられている。また、クッション本体１０の内部には連結固定部３０が収納され、凹部１１の中央位置には、連結固定部３０の後述する連結干が突出する孔が設けられている。
【０００９】
脚固定部２０は、断面Ｄ字状の棒状体であり、鉄や硬質な合成樹脂からなるパイプ又は棒状の心材の周りにウレタン等の発泡合成樹脂を配し、さらに、この回りを布や皮革などのシートで包むことで形成されている。脚固定部２０は、図１（ｂ）に示すように、クッション本体１０の凹部１１に嵌ることで、当該凹部１１が設けられるクッション本体１０の斜面が平らになるように、平面部の角度や大きさが定められている。
【００１０】
連結固定部３０は、脚固定部２０をクッション本体１０に連結固定する部分である。図２（ａ）に図１（ｂ）の状態の腹筋補助クッションＸの縦断面図を示し、図２（ｂ）に図１（ａ）の状態の腹筋補助クッションＸの縦断面図を示す。連結固定部３０は、脚固定部２０内部の心材に一体に形成される丸棒からなり、クッション本体１０の凹部１１中央の穴から突出する連結干３１、連結干３１を摺動可能に保持する筒体からなるスリーブ３２、クッション本体１０の底面近傍に内蔵される板体からなる保持板３３、保持板３３にスリーブ３２を支持固定する棒体からなる支持棒３４から構成される。なお、連結干３１の基端側には抜け止めとなる円板３１ａが固定されている。また、クッション本体１０内部には連結干３１、スリーブ３２、保持板３３、支持棒３４の収まる位置及び連結干の円板３１ａの移動範囲に空間が設けられる。連結固定部３０はこのような構成により、連結干３１をクッション本体１０に対して伸縮可能に保持固定することができる。
【００１１】
次に、このような構成を有する腹筋補助クッションＸの使用方法について説明する。通常、腹筋台として使用しない場合は、図１（ｂ）、図２（ａ）に示すように、連結干３１を縮めた状態とすることで、脚固定部２０をクッション本体１０の凹部１１内に収納し、三角柱体の凸状からなるクッションとして使用する。そして、腹筋台として使用する場合は、まず図１（ａ）、図２（ｂ）に示すように脚固定部２０を引き出して連結干３１を伸ばした状態とする。その後、図２（ｂ）の想像線に示すように屈曲した脚Ｌをクッション本体の凸状の上に乗せ、脛の前面側を脚固定部２０の背面に当接するようして脚を固定して、腹筋運動を行う。
このように本実施形態に係る腹筋補助クッションＸは、腹筋台として使用しないときには、脚固定部２０を収納することで三角柱体のクッションとなるので、洋室、和室問わず違和感なく置いておくことができ、収納に困ることがなく、また、使用に際して、脚固定部を引き出して腹筋台として使用することができる。
【００１２】
なお、上記実施形態では、クッション本体１０の形状として断面形状が略三角形の凸条体としたが、屈曲した脚を支持できれば足りるので、凸条体の断面形状は半円形や台形などに変形してもよい。
【符号の説明】
【００１３】
Ｘ  腹筋補助クッション
１０  クッション本体
１１  凹部
２０  脚固定部
３０  連結固定部
３１  連結干
【図１】
0003168533.tif 000003
【図２】
0003168533.tif 000004